(57)【要約】【課題】  現在の手乾燥装置は手挿入の時に最低限の間隔がないと手がノズルや手乾燥室に触れ、清潔感を損なう恐れがあるため、ノズル吹出口と手との間隔が離れてしまい乾燥時間が長くなるという課題があり、  手挿入時に十分な間隔を保ち、かつノズル吹出口と手の間隔を近づけることができることを目的としている。【解決手段】  手を挿入する方向に噴流発生部としての吹出ノズル8を配置したのものであり、乾燥室３の挿入口は吹出ノズル8の取付位置に関わらず配置することができるため、挿入口の開口幅を手に対して相対的に大きくすることができる。したがって手の挿入および離脱が円滑に行える。また、手と吹出ノズル8を近接させることができるため噴流の運動エネルギーを有効に使うことができ、また、吹出ノズル8からの噴流が手を挿入する開口部付近にないため、噴流と手衝突により発生する水滴の飛散が発生しにくくなる。【選択図】  図１
2005087283.tif 000002
【特許請求の範囲】
【請求項１】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向に前記噴流発生部を配置した手乾燥装置。
【請求項２】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつ両手の間に前記噴流発生部を配置した手乾燥装置。
【請求項３】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつ両手の間にあり、かつ複数の対向しない前記噴流発生部を配置した手乾燥装置。
【請求項４】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつ両手の間にあり、かつ複数の対向しない前記噴流発生部を配置し、前記処理空間の手を挿入する開口部以外に開口空間を有しない手乾燥装置。
【請求項５】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつ両手の間にあり、かつ複数の対向しない前記噴流発生部を配置し、前記処理空間の開口部から奥に行くほど前記噴流発生部を中央から外側へ配置した手乾燥装置。
【請求項６】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつひとつの手に対して周辺から対向する前記噴流発生部を配置し、前記処理空間の手を挿入する開口部以外に開口空間を有しない手乾燥装置。
【請求項７】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつひとつの手に対して周辺から対向し、かつ噴流の噴出方向が開口部に対して逆方向に向いている前記噴流発生部を配置した手乾燥装置。
【請求項８】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつ両手の間にスリット形状の前記噴流発生部を配置した乾燥装置。
【請求項９】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつ両手の間に多孔形状の前記噴流発生部を配置した手乾燥装置。
【請求項１０】
外部に向って開口した挿入口から手を抜き差しできる処理空間を有し、この処理空間の内部において上記処理空間に挿入される手に対して噴流発生部により生成される作動気流を吹き当てて、前記作動気流の運動エネルギ−により手に付着した水分を払拭するように構成した手乾燥装置であって、手を挿入する方向かつ両手の間に掌側にスリット形状かつ手の甲側に多孔形状の前記噴流発生部を配置した手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１参照または特許文献２参照）。
【０００３】
以下、その手乾燥装置について図６を参照しながら説明する。
【０００４】
図に示すように、壁面に固定された本体１０１は、フロントケース１０２および下部に突設した水受け皿１０３で構成されており、フロントケース１０２と水受け皿１０３の間に乾燥空間１０２ａが形成される。フロントケース１０２内には送風装置１０４、発熱手段１０５および制御手段１０８が設けられており、フロントケース１０２の下端部には送風吹出ノズル１０６を乾燥空間１０２ａに向けて、水受け皿１０３に向けて送風するように設置されている。また送風吹出ノズル１０６の近傍には乾燥空間１０２ａ内に差し出した手を検知する検知手段１１０が設けられ、前記制御手段１０８は検知手段１１０の検知信号を受けて送風装置１０４および発熱手段１０５を駆動制御している。また、水受け皿１０３の前部および左右側部には突出壁１０７を形成している。
【０００５】
上記構成において濡れた手を乾燥空間１０２ａに挿入すると、検知手段１１０により検知され、送風装置１０４および発熱手段１０５により温風が形成されて吹出ノズル１０６より送風される。このとき差し出した手に温風が当たり、手を乾燥させる。手を引っ込めると検知手段１１０の検出がなくなるので、送風装置１０４および発熱手段１０５は停止する。
【０００６】
また、手から離れた水滴は水受け皿１０３に集められるが、送風吹出ノズル１０６の送風により飛散しやすくなるため、水受け皿１０３の前部および側部の突出壁１０７により周囲への飛散を防止するものであった。
【０００７】
また、送風装置１０４を固定する固定カバー１１１と、送風吹出ノズル１０６と、吸込空間１１２と送風装置１０４を分離する分離カバー１１３によって送風装置１０４を密閉し、全ての部品を接続する送風経路において大気圧よりも上昇させた高静圧状態を構成するものであった。
【特許文献１】特開平１０−７１１０１号公報（第３頁、第１図）
【特許文献２】特許第３４１５０１１号公報
【発明の開示】
【発明が解決しようとする課題】
【０００８】
このような従来の手乾燥装置では手挿入の時に最低限の間隔がないと手がノズルや手乾燥室に触れ、清潔感を損なう恐れがあるため、ノズル吹出口と手との間隔が離れてしまい乾燥時間が長くなるという課題があり、またノズルから出る噴流が手に衝突する際に、挿入口付近に噴流口があるため水滴が乾燥室外に飛散しやすく、また噴流が手に衝突した際に吹き返り顔などにあたる不快な現象が発生しやすいという課題があり、より低騒音で乾燥時間を短縮できることが要求されている。
【０００９】
本発明は、このような従来の課題を解決するものであり、手挿入時に十分な間隔を保ち、かつノズル吹出口と手の間隔を近づけることができることができ、また挿入口付近に噴流口がないため、吹き返ることがなく水滴の飛散もしにくいことができる吹出ノズルを提供することを目的としている。
【課題を解決するための手段】
【００１０】
本発明の手乾燥装置は、上記目標を達成するため手を挿入する方向に噴流発生部を配置したことを特徴とする。そして、本発明によれば手挿入時に十分な間隔を保ち、かつノズル吹出口と手の間隔を近づけることができるとともに挿入口付近に噴流口がないため、吹き返ることがなく水滴の飛散もしにくいことができる手乾燥装置が得られる。
【００１１】
また、手を挿入する方向かつ両手の間に噴流発生部を配置したことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【００１２】
また、手を挿入する方向かつ両手の間にあり、かつ複数の対向する噴流発生部を配置したことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【００１３】
また、手を挿入する方向かつ複数の掌と甲に反対方向に向いた噴流発生部を配置し、処理空間の手を挿入する開口部以外に開口空間を有しないことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【００１４】
また、手を挿入する方向かつ複数の掌と甲に反対方向に向き、噴流の噴出方向が手挿入方向に対して逆方向に向いている噴流発生部を配置し、処理空間の手を挿入する開口部以外に開口空間を有しないことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【００１５】
また、手を挿入する方向かつ複数の掌と甲に反対方向に向き、処理空間の開口部から奥に行くほど噴流発生部を中央から外側へ配置したことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【００１６】
また、手を挿入する方向かつ複数の掌と甲に反対方向に向いている噴流発生部を配置し、かつ別方向にも噴流発生部を配置したことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【００１７】
また、手を挿入する方向かつ両手の間にスリット形状の噴流発生部を配置したことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【００１８】
また、手を挿入する方向かつ両手の間に多孔状の噴流発生部を配置したことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【００１９】
また、手を挿入する方向かつ両手の間に掌側にスリット形状かつ手の甲側に多孔状の噴流発生部を配置したことを特徴とする。そして、本発明によれば手挿入時に十分な間隔を保ち、かつノズル吹出口と手の間隔を近づけることができ、両手の間に設置することで一度手から除去した水分がもう一方の手に付着することがないとともに挿入口付近に噴流口がないため、吹き返ることがなく水滴の飛散もしにくいことができる手乾燥装置が得られる。
【発明の効果】
【００２０】
本発明によれば手を挿入する方向に噴流発生部を配置したことにより従来の手乾燥装置に対して、噴流発生部の風量、風速を同等にした状態でも乾燥性能を向上することができ、乾燥性能を同等とした場合には風量、風速を低減できるため、騒音を低減することができ、かつ水滴が飛散することがないため、使用者の不快感を軽減するという効果のある手乾燥装置を提供できる。
【発明を実施するための最良の形態】
【００２１】
手を挿入する方向に噴流発生部を配置したものであり、挿入口は噴流発生部と取付位置に関わらず配置することができるため挿入口の開口幅を手に対して相対的に大きくすることができる。したがって手の挿入および離脱が円滑に行える。また、手と噴流発生部を近接させることができるため噴流の運動エネルギーを有効に使うことができる。また、噴流発生部からの噴流が手を挿入する開口部付近にないため、噴流と手衝突により発生する水滴の飛散が発生しにくいという作用を有する。
【００２２】
以下、本発明の実施の形態について図面を参照しながら説明する。
【００２３】
（実施の形態１）
図１〜図５に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としての吹出ノズル６により作動気流としての高速風へと変換される。前記吹出ノズル６の長手方向は前記乾燥室３の開口部１０に対して直行して設置されている。
【００２４】
また、前記メインユニット２内には制御手段７を設けて、乾燥室３内に差し出された手を検知する検知手段８を前記吹出ノズル６の近傍に設け、前記制御手段７は前記検知手段８の検知信号を受けて前記送風装置５を駆動制御し、また前記乾燥室３の下部には取り外し可能な水受け９を有している。
【００２５】
上記構成において、乾燥室３に手が差し込まれると、検知手段８が手を検知して、その検知出力がオンとなり、制御手段７を介して送風装置５を動作させ、吹出ノズル６より送出された高速風が手の表面に当たり、付着した水滴を分離しつつ乾燥し、分離された水滴は乾燥室３内の側壁面に付着し、乾燥室３下部の水受け９まで自然に流すことができ、かつ高速風の風向は乾燥室の開口部１０に対して直行しているため、水滴飛散や拭き返りが少なくできる。
【００２６】
なお、送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００２７】
なお、吹出ノズル６はスリット形状１２あるいは多孔形状１３を風量、風速に合わせて使い分けることでより適切に水滴を除去できる。
【００２８】
（実施の形態２）
図６によって示す本実施の形態は、実施の形態１で示した手乾燥装置の乾燥室３とその開口部１０および吹出ノズル６に関するものであり、これに係る構成以外は実施の形態１のものと同じである。従って、実施の形態１のものと同じ部分については、実施の形態１のものと同じ符号を用い、それらについての説明は省略する。
【００２９】
本実施の形態の手乾燥装置では、乾燥室３の開口部１０が乾燥室３の底面部１１よりも面積が大きくなっている構成となっており、かつ吹出ノズル６は高速風の風向を逆方向としているものである。乾燥室３の形状により指先に吹出ノズル６が近傍に配置されるため乾燥時間をすばやくすることができ、かつ高速風の風向は乾燥室３の開口部１０に対して直行しているため、水滴飛散や拭き返りが少なくできる。
【００３０】
なお、送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００３１】
なお、吹出ノズル６はスリット形状１２あるいは多孔形状１３を風量、風速に合わせて使い分けることでより適切に水滴を除去できる。
【００３２】
（実施の形態３）
図７によって示す本実施の形態は、実施の形態１で示した手乾燥装置の乾燥室３とその開口部１０および吹出ノズル６に関するものであり、これに係る構成以外は実施の形態１のものと同じである。従って、実施の形態１のものと同じ部分については、実施の形態１のものと同じ符号を用い、それらについての説明は省略する。
【００３３】
本実施の形態の手乾燥装置では吹出ノズル６は高速風の風向が複数の対向する方向としているものである。高速風の風向は乾燥室３の開口部１０に対して直行しているため、水滴飛散や拭き返りが少なくできる。
【００３４】
なお、送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００３５】
なお、吹出ノズル６はスリット形状１２あるいは多孔形状１３を風量、風速に合わせて使い分けることでより適切に水滴を除去できる。
【産業上の利用可能性】
【００３６】
本発明にかかる手乾燥装置は、噴流発生部の風量、風速を同等にした状態でも乾燥性能を向上することができ、乾燥性能を同等とした場合には風量、風速を低減できるため、騒音を低減することができ、かつ水滴が飛散することがないため、使用者の不快感を軽減するという効果を有し、洗面所やトイレ等で手を洗い、濡れた手を乾燥させる装置等として有効である。
【図面の簡単な説明】
【００３７】
【図１】本発明の実施例１の構造を示す正面断面図
【図２】同側面断面図
【図３】同斜視図
【図４】同吹出ノズルのスリット形状図
【図５】同吹出ノズルの多孔形状図
【図６】本発明の実施例２の構造を示す正面断面図
【図７】本発明の実施例３の構造を示す正面断面図
【図８】従来の手乾燥装置の構造を示す側面断面図
【符号の説明】
【００３８】
１  本体
２  メインユニット
３  乾燥室
４  高圧シールユニット
５  送風装置
６  吹出ノズル
７  制御手段
８  検知手段
９  水受け
１０ 開口部
１１ 底面部
１２ スリット形状
１３ 多孔形状
【図１】
2005087283.tif 000003
【図２】
2005087283.tif 000004
【図３】
2005087283.tif 000005
【図４】
2005087283.tif 000006
【図５】
2005087283.tif 000007
【図６】
2005087283.tif 000008
【図７】
2005087283.tif 000009
【図８】
2005087283.tif 000010